(57)【要約】【課題】遺跡発掘現場において発生した土砂等の堆積物を、その大きさや重量に拘らず、人手による運搬や分別作業などの重労働を殆ど必要とすることなく、効率良く発掘現場外へと輸送して排出することを可能とすること。【解決手段】遺跡発掘現場において発生した土砂等の堆積物を発掘現場外へと輸送して排出するための方法であって、発掘現場にて発生した堆積物を破砕し、該破砕後の堆積物を発掘現場外に配置された吸引装置により吸引して発掘現場外へと輸送し、該輸送された堆積物を発掘現場外の所定場所に排出する。【選択図】  図１
2004332223.tif 000002
【特許請求の範囲】
【請求項１】
遺跡発掘現場において発生した土砂等の堆積物を発掘現場外へと輸送して排出するための方法であって、発掘現場にて発生した堆積物を破砕し、該破砕後の堆積物を発掘現場外に配置された吸引装置により吸引して発掘現場外へと輸送し、該輸送された堆積物を発掘現場外の所定場所に排出することを特徴とする遺跡発掘現場における堆積物輸送方法。
【請求項２】
遺跡発掘現場において発生した土砂等の堆積物を発掘現場外へと輸送して排出するための方法であって、発掘現場にて発生した堆積物を大径のものと小径のものとに分級し、該分級された小径の堆積物を発掘現場外に配置された吸引装置により吸引して発掘現場外へと輸送し、該輸送された堆積物を発掘現場外の所定場所に排出することを特徴とする遺跡発掘現場における堆積物輸送方法。
【請求項３】
遺跡発掘現場において発生した土砂等の堆積物を発掘現場外へと輸送して排出するための方法であって、発掘現場にて発生した堆積物を大径のものと小径のものとに分級し、該分級された大径の堆積物を破砕し、該破砕後の堆積物を小径の堆積物と共に発掘現場外に配置された吸引装置により吸引して発掘現場外へと輸送し、該輸送された堆積物を発掘現場外の所定場所に排出することを特徴とする遺跡発掘現場における堆積物輸送方法。
【請求項４】
吸引装置と発掘現場との間に中継タンクを配置し、吸引装置の吸引により発掘現場外へと輸送された堆積物を該中継タンクへと排出し、該中継タンク内に収容された堆積物を車両の荷台に排出して該車両にて輸送することを特徴とする請求項１乃至３いずれかに記載の遺跡発掘現場における堆積物輸送方法。
【請求項５】
吸引装置が吸引機構とタンクを搭載した吸引車からなり、吸引により発掘現場外へと輸送された堆積物を該タンク内に収容して該吸引車により輸送することを特徴とする請求項１乃至４いずれかに記載の遺跡発掘現場における堆積物輸送方法。
【請求項６】
遺跡発掘現場において発生した土砂等の堆積物を発掘現場外へと輸送して排出するためのシステムであって、発掘現場にて発生した堆積物を破砕するための破砕装置と、該破砕装置にて破砕された堆積物を吸引するために発掘現場外に配置される吸引装置と、該吸引装置に接続されてその先端から破砕後の堆積物を吸引する吸引ホースとからなることを特徴とする遺跡発掘現場における堆積物輸送システム。
【請求項７】
遺跡発掘現場において発生した土砂等の堆積物を発掘現場外へと輸送して排出するためのシステムであって、発掘現場にて発生した堆積物を大径のものと小径のものに分級するための分級装置と、該分級装置にて分級された小径の堆積物を吸引するために発掘現場外に配置される吸引装置と、該吸引装置に接続されてその先端から分級された小径の堆積物を吸引する吸引ホースとからなることを特徴とする遺跡発掘現場における堆積物輸送システム。
【請求項８】
前記分級装置にて分級された大径の堆積物を破砕する破砕装置を備えてなることを特徴とする請求項７記載の遺跡発掘現場における堆積物輸送システム。
【請求項９】
前記吸引ホースが複数の先端部を有するように分岐されてなることを特徴とする請求項６乃至８いずれかに記載の遺跡発掘現場における堆積物輸送システム。
【請求項１０】
前記吸引ホースの中途部に、該吸引ホースを通って輸送されてきた堆積物が排出される中継タンクが介在されてなることを特徴とする請求項６乃至９いずれかに記載の遺跡発掘現場における堆積物輸送システム。
【発明の詳細な説明】
【０００１】
【発明の属する技術分野】
本発明は、遺跡発掘現場において発生した土砂等の堆積物を効率良く発掘現場外へと輸送して排出するための方法及びシステムに関する。
【０００２】
【従来の技術】
歴史的建造物や古墳などの遺跡の発掘作業においては、重機械類の使用が土木工事現場のようにできないために、発掘に伴って発生する土砂等の堆積物の外部への輸送・排出は、人力による一輪車とベルトコンベアを用いて行われているのが現状である。
【０００３】
しかしながら、発掘作業により発生する堆積物の中には一人では持てない程の大きくて重い石もあり、一輪車やベルトコンベアにより大量の堆積物を運搬するには多くの人員と時間を必要としていた。
ベルトコンベアを用いる方法は、一輪車を用いる方法に比べて人員や時間を少なくすることができる点で有利であるが、以下のような様々な問題点を有していた。
【０００４】
すなわち、発掘の進行状況に応じてベルトコンベアの移動が度々必要となるが、ベルトコンベアは通常１台で約２００ｋｇの重量があるため、移動の度に発掘作業者が約１０人程度で運ぶ必要があり、しかもこの移動は足元の不安定な状況下で行わなければならないため、非常に危険で大変な作業であった。
また、風が吹くと運搬中に堆積物（粉塵）が舞い上がり、雨が降ると運搬中の堆積物が流れ出てしまうという問題もあった。
さらに、遺物や遺構を損傷しないように設置しなければならないため、設置場所が難航する場合もあった。また、橋脚や橋台等の深い場所での土留支保工方式での発掘作業では、設定・撤去が困難であり、土砂のこぼれ落ちやコンベアの詰まりの発生等により作業効率が大きく低下することがあった。
【０００５】
また、遺跡発掘作業においては、降雨により発掘現場に水が溜まると作業性が低下するため、その都度、排水作業を行っているが、この作業は複数の発掘作業者が柄杓、スポンジ、ウエス等を用いてバケツに雨水を汲み上げるという方法により行なわれているため、多くの人員と時間を要し、非常に効率が悪かった。
【０００６】
上記したような実情に鑑みて、遺跡発掘現場において、発生した土砂等を吸引して運搬する方法が提案されている（特許文献１参照）。
【０００７】
【特許文献１】
特開２００２−３８５２１号公報
【０００８】
【発明が解決しようとする課題】
しかしながら、この特許文献１の開示技術は、単なる吸引のみで堆積物を運搬排出しようとする技術であるから、運搬・排出できる堆積物は小さくて軽量な土砂に限られ、遺跡発掘現場にて多く発掘される大きくて重い石については運搬することはできなかった。そのため、このような堆積物については、従来と同様の方法により運搬するしかなく、しかも吸引が可能なものと不可能なものとを現場で人手によって分別しなければならないことから、従来の方法に比べて作業性を大幅に改善することは難しく、遺跡発掘現場で働く作業者の要望に充分に応えることができる技術とはいえなかった。
【０００９】
本発明は、上記したような従来技術の問題点を悉く解決すべくなされたものであって、遺跡発掘現場において発生した土砂等の堆積物を、その大きさや重量に拘らず、人手による運搬や分別作業などの重労働を殆ど必要とすることなく、効率良く発掘現場外へと輸送して排出することを可能とする、遺跡発掘現場における堆積物輸送方法及び堆積物輸送システムを提供せんとするものである。
【００１０】
【課題を解決するための手段】
本発明は上記課題を解決するために以下の手段を採用した。
請求項１に係る発明は、遺跡発掘現場において発生した土砂等の堆積物を発掘現場外へと輸送して排出するための方法であって、発掘現場にて発生した堆積物を破砕し、該破砕後の堆積物を発掘現場外に配置された吸引装置により吸引して発掘現場外へと輸送し、該輸送された堆積物を発掘現場外の所定場所に排出することを特徴とする遺跡発掘現場における堆積物輸送方法に関する。
請求項２に係る発明は、遺跡発掘現場において発生した土砂等の堆積物を発掘現場外へと輸送して排出するための方法であって、発掘現場にて発生した堆積物を大径のものと小径のものとに分級し、該分級された小径の堆積物を発掘現場外に配置された吸引装置により吸引して発掘現場外へと輸送し、該輸送された堆積物を発掘現場外の所定場所に排出することを特徴とする遺跡発掘現場における堆積物輸送方法に関する。
請求項３に係る発明は、遺跡発掘現場において発生した土砂等の堆積物を発掘現場外へと輸送して排出するための方法であって、発掘現場にて発生した堆積物を大径のものと小径のものとに分級し、該分級された大径の堆積物を破砕し、該破砕後の堆積物を小径の堆積物と共に発掘現場外に配置された吸引装置により吸引して発掘現場外へと輸送し、該輸送された堆積物を発掘現場外の所定場所に排出することを特徴とする遺跡発掘現場における堆積物輸送方法に関する。
【００１１】
請求項４に係る発明は、吸引装置と発掘現場との間に中継タンクを配置し、吸引装置の吸引により発掘現場外へと輸送された堆積物を該中継タンクへと排出し、該中継タンク内に収容された堆積物を車両の荷台に排出して該車両にて輸送することを特徴とする請求項１乃至３いずれかに記載の遺跡発掘現場における堆積物輸送方法に関する。
請求項５に係る発明は、吸引装置が吸引機構とタンクを搭載した吸引車からなり、吸引により発掘現場外へと輸送された堆積物を該タンク内に収容して該吸引車により輸送することを特徴とする請求項１乃至４いずれかに記載の遺跡発掘現場における堆積物輸送方法に関する。
【００１２】
請求項６に係る発明は、遺跡発掘現場において発生した土砂等の堆積物を発掘現場外へと輸送して排出するためのシステムであって、発掘現場にて発生した堆積物を破砕するための破砕装置と、該破砕装置にて破砕された堆積物を吸引するために発掘現場外に配置される吸引装置と、該吸引装置に接続されてその先端から破砕後の堆積物を吸引する吸引ホースとからなることを特徴とする遺跡発掘現場における堆積物輸送システムに関する。
請求項７に係る発明は、遺跡発掘現場において発生した土砂等の堆積物を発掘現場外へと輸送して排出するためのシステムであって、発掘現場にて発生した堆積物を大径のものと小径のものに分級するための分級装置と、該分級装置にて分級された小径の堆積物を吸引するために発掘現場外に配置される吸引装置と、該吸引装置に接続されてその先端から分級された小径の堆積物を吸引する吸引ホースとからなることを特徴とする遺跡発掘現場における堆積物輸送システムに関する。
【００１３】
請求項８に係る発明は、前記分級装置にて分級された大径の堆積物を破砕する破砕装置を備えてなることを特徴とする請求項７記載の遺跡発掘現場における堆積物輸送システムに関する。
請求項９に係る発明は、前記吸引ホースが複数の先端部を有するように分岐されてなることを特徴とする請求項６乃至８いずれかに記載の遺跡発掘現場における堆積物輸送システムに関する。
請求項１０に係る発明は、前記吸引ホースの中途部に、該吸引ホースを通って輸送されてきた堆積物が排出される中継タンクが介在されてなることを特徴とする請求項６乃至９いずれかに記載の遺跡発掘現場における堆積物輸送システムに関する。
【００１４】
【発明の実施の形態】
以下、本発明に係る遺跡（埋蔵文化財包蔵地）発掘現場における堆積物輸送方法及び堆積物輸送システムの好適な実施形態について、図面を参照しつつ説明する。
図１は本発明に係る遺跡発掘現場における堆積物輸送システムの第一実施形態を示す図である。本発明に係るシステムは、図示の如く、橋脚や橋台等の発掘現場外（Ｂ）よりも低く深い場所に発掘現場（Ａ）がある場合において、好適に用いることができる。
第一実施形態に係るシステムは、破砕装置（１）と、吸引装置（２）と、吸引ホース（３）とから構成されている。
【００１５】
破砕装置（１）は、遺跡発掘現場（Ａ）に配置されて、当該現場にて発生した土の固まりや石などの大径の堆積物を吸引ホース（３）の内径以下の大きさとなるまで破砕して小さくするものである。
【００１６】
吸引装置（２）は、遺跡発掘現場外（Ｂ）に配置されて、吸引ホース（３）の先端に吸引力を発生させることにより、破砕装置（１）により破砕された後の堆積物を発掘現場外（Ｂ）へと輸送するものである。
吸引装置（２）としては、図示例の如く、ルーツブロワー等の真空発生装置からなる吸引機構と貯蔵タンクを搭載した車両からなる吸引車を使用することが好ましいが、定置式の吸引装置を使用することも可能である。
【００１７】
吸引ホース（３）は、先端部が遺跡発掘現場（Ａ）の破砕装置（１）の近傍に配置されるとともに、後端部が吸引装置（２）に接続されており、該吸引装置（２）の駆動によってその先端部に吸引力を発生させて、破砕装置（１）にて破砕されて排出された堆積物をその内部へと取り入れるように構成されている。
【００１８】
以下、この第一実施形態のシステムを用いた遺跡発掘現場における堆積物輸送方法について説明する。
先ず、遺跡発掘現場（Ａ）にて発生した堆積物を、そのまま破砕装置（１）へと供給する。すると、堆積物中に含まれる大径の石や土の固まりは、破砕装置（１）により吸引ホース（３）の内径以下の大きさとなるまで破砕され、堆積物は小径成分のみとなって排出される。
破砕装置（１）から排出された堆積物は、吸引装置（２）の駆動によって吸引ホース（３）の先端から該ホース内部へと吸入される。
そして、吸入された堆積物は、ホース内を通って遺跡発掘現場外（Ｂ）まで運ばれて、吸引車の貯蔵タンク内へと収容される。
このようにして貯蔵タンク内に収容された堆積物は、吸引車で所定の廃棄場所へとそのまま運搬して排出される。
【００１９】
上記した如く、第一実施形態のシステムによれば、遺跡発掘現場にて発生した堆積物が大きな石等である場合でも、これを現場にて破砕してそのまま吸引輸送することが可能であるため、遺跡発掘現場にて発生した堆積物の殆ど全てを吸引により発掘現場外へと排出することができ、従来の一輪車やベルトコンベアを用いた方法に比べては勿論のこと、単なる吸引のみを用いた方法に比べても、作業効率を著しく向上させることが可能となる。
【００２０】
図２は本発明に係る遺跡発掘現場における堆積物輸送システムの第二実施形態を示す図である。
第二実施形態に係るシステムは、分級装置（４）と、吸引装置（２）と、吸引ホース（３）から構成されている。
【００２１】
分級装置（４）は、遺跡発掘現場（Ａ）に配置されて、当該現場にて発生した堆積物を大径のものと小径のものとに分級するものであり、具体的には堆積物を吸引ホース（３）の内径を超える大きさのものと内径以下の大きさのものとに篩等を用いて分別するものである。
【００２２】
吸引装置（２）は、遺跡発掘現場外（Ｂ）に配置されて、吸引ホース（３）の先端に吸引力を発生させることにより、分級装置（４）により分級された小径の堆積物を発掘現場外（Ｂ）へと輸送するものである。
吸引装置（２）としては、図示例の如く、ルーツブロワー等の真空発生装置からなる吸引機構と貯蔵タンクを搭載した車両からなる吸引車を使用することが好ましいが、定置式の吸引装置を使用することも可能である。
【００２３】
吸引ホース（３）は、先端部が遺跡発掘現場（Ａ）の分級装置（４）の近傍に配置されるとともに、後端部が吸引装置（２）に接続されており、該吸引装置（２）の駆動によってその先端部に吸引力を発生させて、分級装置（４）にて分級されて取り出された小径の堆積物をその内部へと取り入れるように構成されている。
【００２４】
以下、この第二実施形態のシステムを用いた遺跡発掘現場における堆積物輸送方法について説明する。
先ず、遺跡発掘現場（Ａ）にて発生した堆積物を、そのまま分級装置（４）へと供給する。すると、堆積物は、吸引ホース（３）の内径を超える大きさのもの（大径のもの）と、内径以下の大きさのもの（小径のもの）とに分級される。
分級された堆積物のうち、大径のものはベルトコンベアや一輪車等の公知の輸送手段によって遺跡発掘現場外（Ｂ）へと排出され、小径のものは吸引装置（２）の駆動によって吸引ホース（３）の先端から該ホース内部へと吸入される。
そして、吸入された堆積物は、ホース内を通って遺跡発掘現場外（Ｂ）まで運ばれて、吸引車の貯蔵タンク内へと収容される。
このようにして貯蔵タンク内に収容された堆積物は、吸引車で所定の廃棄場所へとそのまま運搬して排出される。
【００２５】
上記した如く、第二実施形態のシステムによれば、遺跡発掘現場にて発生した堆積物に大きな石等が含まれている場合でも、これを現場にて分級して吸引輸送可能なものと不可能なものとに分別して吸引輸送することが可能であるため、従来の一輪車やベルトコンベアを用いた方法に比べては勿論のこと、単なる吸引のみを用いた方法に比べても、人手による面倒な分別作業を全く必要としないことから、作業効率を大きく向上させることが可能となる。
【００２６】
図３は本発明に係る遺跡発掘現場における堆積物輸送システムの第三実施形態を示す図である。
第三実施形態に係るシステムは、分級装置（４）と、破砕装置（１）と、吸引装置（２）と、吸引ホース（３）から構成されている。
すなわち、このシステムは第一実施形態のシステムと第二実施形態のシステムを組み合わせた構成を有している。
【００２７】
分級装置（４）は、遺跡発掘現場（Ａ）に配置されて、当該現場にて発生した堆積物を大径のものと小径のものとに分級するものであり、具体的には堆積物を吸引ホース（３）の内径を超える大きさのものと内径以下の大きさのものとに分別するものである。
【００２８】
破砕装置（１）は、分級装置（４）と同じく遺跡発掘現場（Ａ）に配置され、分級装置（４）にて分級された堆積物のうち、大径の堆積物を吸引ホース（３）の内径以下の大きさとなるまで破砕して小さくするものである。
【００２９】
吸引装置（２）は、遺跡発掘現場外（Ｂ）に配置されて、吸引ホース（３）の先端に吸引力を発生させることにより、分級装置（４）により分級された小径の堆積物及び破砕装置（１）により破砕された小径の堆積物を発掘現場外（Ｂ）へと輸送するものである。
吸引装置（２）としては、図示例の如く、ルーツブロワー等の真空発生装置からなる吸引機構と貯蔵タンクを搭載した車両からなる吸引車を使用することが好ましいが、定置式の吸引装置を使用することも可能である。
【００３０】
吸引ホース（３）は、先端部が遺跡発掘現場（Ａ）の分級装置（４）及び破砕装置（１）の近傍に配置されるとともに、後端部が吸引装置（２）に接続されており、該吸引装置（２）の駆動によってその先端部に吸引力を発生させて、分級装置（４）にて分級されて取り出された小径の堆積物及び破砕装置（１）にて破砕されて排出された小径の堆積物をその内部へと取り入れるように構成されている。
【００３１】
以下、この第三実施形態のシステムを用いた遺跡発掘現場における堆積物輸送方法について説明する。
先ず、遺跡発掘現場（Ａ）にて発生した堆積物を、そのまま分級装置（４）へと供給する。すると、堆積物は、吸引ホース（３）の内径を超える大きさのもの（大径のもの）と、内径以下の大きさのもの（小径のもの）とに分級される。
分級された堆積物のうち、大径のものは破砕装置（１）へと供給されて堆積物中に含まれる大径の石や土の固まりは吸引ホース（３）の内径以下の大きさとなるまで破砕され、堆積物は小径成分のみとなって排出される。
【００３２】
そして、分級装置（４）によって分級された小径の堆積物および破砕装置（１）から排出された小径の堆積物は共に、吸引装置（２）の駆動によって吸引ホース（３）の先端から該ホース内部へと吸入される。
そして、吸入された堆積物は、ホース内を通って遺跡発掘現場外（Ｂ）まで運ばれて、吸引車の貯蔵タンク内へと収容される。
このようにして貯蔵タンク内に収容された堆積物は、吸引車で所定の廃棄場所へとそのまま運搬して排出される。
【００３３】
上記した如く、第三実施形態のシステムによれば、遺跡発掘現場にて発生した堆積物に大きな石等が含まれている場合でも、これを現場にて分級して吸引輸送可能なものと不可能なものとに分別し、吸引輸送可能なものについてはそのまま、吸引輸送不可能なものについては現場にて破砕して、それぞれ吸引輸送することが可能であるため、遺跡発掘現場にて発生した堆積物の殆ど全てを吸引により発掘現場外へと排出することができ、従来の一輪車やベルトコンベアを用いた方法に比べては勿論のこと、単なる吸引のみを用いた方法に比べても、作業効率を著しく向上させることが可能となる。
【００３４】
図４は本発明に係る遺跡発掘現場における堆積物輸送システムの変更例を示す図である。
この変更例は、吸引装置（２）と発掘現場（Ａ）との間の発掘現場外（Ｂ）に中継タンク（５）を配置したものであって、図示例では第一実施形態のシステムに適用した場合を示しているが、上記第一乃至第三実施形態のいずれにも適用可能なものである。
より具体的には、吸引ホース（３）の中途部に中継タンク（５）を介在させたものであり、吸引装置（２）の駆動による吸引により吸引ホース（３）を通って発掘現場外（Ｂ）へと輸送された堆積物を中継タンク（５）へと排出できるように構成したものである。
【００３５】
中継タンク（５）は、発掘現場外（Ｂ）において地面から所定高さ位置に浮かせて固定配置されており、内部に収容された堆積物をその下方から排出して、ダンプカー（６）の荷台に直接積載することが可能となっている。
【００３６】
この変更例によれば、ダンプカー等の運搬車両（６）を少なくとも２台用意することによって、連続的に堆積物を吸引して中継タンク（５）に収容し、該タンク（５）からそのまま連続的にダンプカー（６）の荷台へと排出することが可能となるため、処理量及び処理効率を大幅にアップさせることができる。
【００３７】
図５は本発明に係る遺跡発掘現場における堆積物輸送システムの別の変更例を示す図である。
この変更例は、吸引ホース（３）が複数の先端部を有するように分岐されているものであり、図示例では第一実施形態のシステムに適用した場合を示しているが、上記第一乃至第三実施形態及びその変更例のいずれにも適用可能なものである。
【００３８】
この変更例によれば、複数の発掘現場から同時に堆積物を吸引して輸送することが可能となるため、吸引ホース（３）を移動させる必要がなく、非常に効率的である。また、この変更例において、複数の吸引ホース（３）の先端近傍にそれぞれ破砕装置（１）及び／又は分級装置（４）を設けると、複数の発掘現場でそれぞれ同時に破砕及び／又は分級処理を行うことが可能となるため好ましい。
また、この変更例は、作業現場に溜まった雨水を現場外へと排出する作業において極めて効果的である。
【００３９】
【発明の効果】
以上説明したように、本発明に係る遺跡発掘現場における堆積物輸送方法及び堆積物輸送システムによれば、遺跡発掘現場において発生した土砂等の堆積物を、現場にて吸引・破砕・分級を組み合わせて現場外へと排出するようにしたので、発生した堆積物をその大きさや重量に拘らず、人手による運搬や分別作業などの重労働を殆ど行わずに、効率良く発掘現場外へと輸送して排出することが可能となり、従来の一輪車やベルトコンベアを使用した方法や吸引のみを使用した方法に比べて作業性を大きく改善することができ、遺跡発掘現場で働く作業者の労力や危険性を大幅に低減することが可能となる。
【図面の簡単な説明】
【図１】本発明に係る遺跡発掘現場における堆積物輸送システムの第一実施形態を示す図である。
【図２】本発明に係る遺跡発掘現場における堆積物輸送システムの第二実施形態を示す図である。
【図３】本発明に係る遺跡発掘現場における堆積物輸送システムの第三実施形態を示す図である。
【図４】本発明に係る遺跡発掘現場における堆積物輸送システムの変更例を示す図である。
【図５】本発明に係る遺跡発掘現場における堆積物輸送システムの別の変更例を示す図である。
【符号の説明】
１      破砕装置
２      吸引装置
３      吸引ホース
４      分級装置
５      中継タンク
６      運搬車両
Ａ      遺跡発掘現場
Ｂ      遺跡発掘現場外
【図１】
2004332223.tif 000003
【図２】
2004332223.tif 000004
【図３】
2004332223.tif 000005
【図４】
2004332223.tif 000006
【図５】
2004332223.tif 000007